(57)【要約】【課題】より多くの紙指紋情報を含んだ画像信号から紋様情報を取得する画像処理装置及び画像処理プログラムを提供することを目的とする。【解決手段】画像処理装置であって、媒体の表面に表された画像または文字情報を取得する際の第１のゲイン調整値とは異なる第２のゲイン調整値を用いて、前記媒体の表面を光学的に読み取ることにより前記媒体の画像信号を取得する画像信号取得手段のゲイン調整を行うゲイン調整手段と、前記媒体の表面に表された画像または文字情報を取得する際の第１のオフセット調整値とは異なる第２のオフセット調整値を用いて、前記画像信号取得手段のオフセット調整を行うオフセット調整手段と、前記第２のゲイン調整値及び前記第２のオフセット調整値によりそれぞれゲイン調整及びオフセット調整された画像信号取得手段により取得された画像信号に基づいて、前記媒体の表面に現れる紋様を示す紋様情報を取得する紋様情報取得手段と、を有する。【選択図】図３
2012064162.tif 000002
【特許請求の範囲】
【請求項１】
媒体の表面に表された画像または文字情報を取得する際の第１のゲイン調整値とは異なる第２のゲイン調整値を用いて、前記媒体の表面を光学的に読み取ることにより前記媒体の画像信号を取得する画像信号取得手段のゲイン調整を行うゲイン調整手段と、
前記媒体の表面に表された画像または文字情報を取得する際の第１のオフセット調整値とは異なる第２のオフセット調整値を用いて、前記画像信号取得手段のオフセット調整を行うオフセット調整手段と、
前記第２のゲイン調整値及び前記第２のオフセット調整値によりそれぞれゲイン調整及びオフセット調整された画像信号取得手段により取得された画像信号に基づいて、前記媒体の表面に現れる紋様を示す紋様情報を取得する紋様情報取得手段と、
を有することを特徴とする画像処理装置。
【請求項２】
前記第２のゲイン調整値は、前記第１のゲイン調整値よりも高く、前記第２のオフセット調整値は、前記第１のオフセット調整値よりも高いことを特徴とする請求項１記載の画像処理装置。
【請求項３】
前記画像処理装置は、更に、前記第１のゲイン調整値と前記第２のゲイン調整値の差の大きさは、前記第２のオフセット調整値と前記第１のオフセット調整値の差の大きさよりも小さいことを特徴とする請求項２記載の画像処理装置。
【請求項４】
前記第２のゲイン調整値及び前記第２のオフセット調整値はそれぞれ、前記取得された画像信号の示す値に基づいて取得された統計値に基づいて設定されることを特徴とする請求項１記載の画像処理装置。
【請求項５】
前記画像処理装置は、更に、
ユーザーが調整値を入力する調整値入力部を有し、
前記第２のゲイン調整値は、前記調整値入力部へのユーザーの入力により指定されることを特徴とする請求項１記載の画像処理装置。
【請求項６】
前記画像処理装置は、更に、
ユーザーが調整値を入力する調整値入力部を有し、
前記第２のオフセット調整値は、前記調整部へのユーザーの入力により指定されることを特徴とする請求項１記載の画像処理装置。
【請求項７】
媒体の表面に表された画像または文字情報を取得する際の第１のゲイン調整値とは異なる第２のゲイン調整値を用いて、前記媒体の表面を光学的に読み取ることにより前記媒体の画像信号を取得する画像信号取得手段のゲイン調整を行うゲイン調整手段、
前記媒体の表面に表された画像または文字情報を取得する際の第１のオフセット調整値とは異なる第２のオフセット調整値を用いて、前記画像信号取得手段のオフセット調整を行うオフセット調整手段、及び、
前記第２のゲイン調整値及び前記第２のオフセット調整値によりそれぞれゲイン調整及びオフセット調整された画像信号取得手段により取得された画像信号に基づいて、前記媒体の表面に現れる紋様を示す紋様情報を取得する紋様情報取得手段、
としてコンピュータを機能させるための画像処理プログラム。
【発明の詳細な説明】
【技術分野】
【０００１】
本発明は、画像処理装置、及び、画像処理プログラムに関する。
【背景技術】
【０００２】
媒体の表面に現れる紋様（紙指紋情報）を検出し、当該紋様情報により、媒体の原本性を認証する画像処理装置が知られている。具体的には、例えば、下記特許文献１には、媒体の表面を光学的に読み取り電気信号に変換して出力するイメージセンサからの当該電気信号を、２のゲイン調整及びＡＤ変換部に並列に入力し、一方のゲイン調整及びＡＤ変換部を、紋様の抽出に最適な輝度信号を出力するように最適化するとともに、他方のゲイン調整及びＡＤ変換部を媒体の表面に表された画像や文字の抽出に最適な輝度信号を出力するように最適化する画像処理装置が開示されている。
【先行技術文献】
【特許文献】
【０００３】
【特許文献１】特開２００９−５３１２号公報
【発明の概要】
【発明が解決しようとする課題】
【０００４】
より多くの紙指紋情報を含んだ画像信号から紋様情報を取得する画像処理装置及び画像処理プログラムを提供することを目的とする。
【課題を解決するための手段】
【０００５】
本発明の請求項１に記載の画像処理装置は、媒体の表面に表された画像または文字情報を取得する際の第１のゲイン調整値とは異なる第２のゲイン調整値を用いて、前記媒体の表面を光学的に読み取ることにより前記媒体の画像信号を取得する画像信号取得手段のゲイン調整を行うゲイン調整手段と、前記媒体の表面に表された画像または文字情報を取得する際の第１のオフセット調整値とは異なる第２のオフセット調整値を用いて、前記画像信号取得手段のオフセット調整を行うオフセット調整手段と、前記第２のゲイン調整値及び前記第２のオフセット調整値によりそれぞれゲイン調整及びオフセット調整された画像信号取得手段により取得された画像信号に基づいて、前記媒体の表面に現れる紋様を示す紋様情報を取得する紋様情報取得手段と、を有することを特徴とする。
【０００６】
請求項２に記載の画像処理装置は、請求項１に記載の画像処理装置において、前記第２のゲイン調整値は、前記第１のゲイン調整値よりも高く、前記第２のオフセット調整値は、前記第１のオフセット調整値よりも高いことを特徴とする。
【０００７】
請求項３に記載の画像処理装置は、請求項２に記載の画像処理装置において、更に、前記第１のゲイン調整値と前記第２のゲイン調整値の差の大きさは、前記第２のオフセット調整値と前記第１のオフセット調整値の差の大きさよりも小さいことを特徴とする。
【０００８】
請求項４に記載の画像処理装置は、請求項１に記載の画像処理装置において、前記第２のゲイン調整値及び前記第２のオフセット調整値はそれぞれ、前記取得された画像信号の示す値に基づいて取得された統計値に基づいて設定されることを特徴とする。
【０００９】
請求項５に記載の画像処理装置は、請求項１に記載の画像処理装置において、更に、ユーザーが調整値を入力する調整値入力部を有し、前記第２のゲイン調整値は、前記調整値入力部へのユーザーの入力により指定されることを特徴とする。
【００１０】
請求項６に記載の画像処理装置は、請求項１に記載の画像処理装置において、前記画像処理装置は、更に、ユーザーが調整値を入力する調整値入力部を有し、前記第２のオフセット調整値は、前記調整部へのユーザーの入力により指定される。
【００１１】
請求項７に記載の画像処理プログラムは、媒体の表面に表された画像または文字情報を取得する際の第１のゲイン調整値とは異なる第２のゲイン調整値を用いて、前記媒体の表面を光学的に読み取ることにより、前記媒体の画像信号を取得する画像信号取得手段のゲイン調整を行うゲイン調整手段、前記媒体の表面に表された画像または文字情報を取得する際の第１のオフセット調整値とは異なる第２のオフセット調整値を用いて、前記画像信号取得手段のオフセット調整を行うオフセット調整手段、及び、前記第２のゲイン調整値及び前記第２のオフセット調整値によりそれぞれゲイン調整及びオフセット調整された画像信号取得手段により取得された画像信号に基づいて、前記媒体の表面に現れる紋様を示す紋様情報を取得する紋様情報取得手段、としてコンピュータを機能させる。
【発明の効果】
【００１２】
請求項１、７に記載の発明によれば、本構成を用いない場合に比べ、より多くの紋様情報を含んだ画像信号から紋様情報が取得される。
【００１３】
請求項２に記載の発明によれば、本構成を用いない場合に比べ、より多くの白に相当する画像信号（色の濃淡値がより高い値を有する画像信号）から紋様情報が取得される。
【００１４】
請求項３に記載の発明によれば、請求項２に記載の構成を用いる場合に比べ、より多くの紋様情報を含んだ画像信号から紋様情報が取得される。
【００１５】
請求項４に記載の発明によれば、紋様情報取得の際に、媒体の種類等に応じてゲイン及びオフセット調整値が動的に変化される。
【００１６】
請求項５に記載の発明によれば、紋様情報取得の際に、ゲイン調整値がユーザーにより調節される。
【００１７】
請求項６に記載の発明によれば、紋様情報取得の際に、オフセット調整値がユーザーにより調節される。
【図面の簡単な説明】
【００１８】
【図１】本発明の実施の形態における画像処理装置の構成の概要について説明するための図である。
【図２】本実施の形態における読み取り部の構成を説明するための図である。
【図３】本実施の形態における読み取り部の回路構成を説明するための図である。
【図４】本実施の形態における読み取り部の動作について説明するための図である。
【図５】本実施の形態における読み取り部の動作について説明するための図である。
【図６】本実施の形態における制御部の構成を機能的に説明するための図である。
【図７】本実施の形態における紙指紋取得モードにおける処理のフローを説明するための図である。
【図８】本実施の形態における通常モードにおける処理のフローを説明するための図である。
【図９】本発明の変形例１における読み取り部の回路構成を説明するための図である。
【図１０】変形例１における紙指紋取得モードにおける処理のフローを説明するための図である。
【図１１】変形例１におけるサンプリング領域について説明するための図である。
【図１２】変形例２における紙指紋取得についてのフローを説明するための図である。
【発明を実施するための形態】
【００１９】
以下、本発明の実施形態について、図面を参照しつつ説明する。なお、図面については、同一又は同等の要素には同一の符号を付し、重複する説明は省略する。
【００２０】
図１は、本発明の実施の形態における画像処理装置の構成の概要について説明するための図である。本実施の形態における画像処理装置１００は、例えば、コピー機能やスキャン機能等を有する複合機であって、図１に示すように、例えば、制御部１０１、記憶部１０２、操作部１０３、表示部１０４、読み取り部１０５、プリンタ部１０６、通信部１０７を有する。なお、各部１０１乃至１０７は、内部バス１０９により互いに接続される。
【００２１】
制御部１０１は、例えば、ＭＰＵであって、記憶部１０２に格納されたプログラムに従って動作する。
【００２２】
記憶部１０２は、例えば、ＲＯＭやＲＡＭ、ハードディスク等の情報記録媒体で構成され、制御部１０１によって実行されるプログラムを保持する情報記録媒体である。また、記憶部１０２は、制御部１０１のワークメモリとしても動作する。なお、当該プログラムは、例えば、ネットワークを介して、ダウンロードされて提供されてもよいし、または、ＣＤ−ＲＯＭやＤＶＤ−ＲＯＭ等のコンピュータで読み取り可能な各種の情報記録媒体によって提供されてもよい。
【００２３】
操作部１０３は、例えば、複数のボタンや後述する表示部１０４に表示されたタッチパネル等のインターフェースで構成され、ユーザーの指示操作に応じて、当該指示操作の内容を制御部１０１に出力する。
【００２４】
表示部１０４は、例えば、液晶ディスプレイ、有機ＥＬディスプレイ等であって、制御部１０１からの指示に従い、情報を表示する。
【００２５】
プリンタ部１０６は、例えば、ユーザーの指示により、読み取り部１０５により取得された画像や記憶部１０２に記憶された画像を印刷する。
【００２６】
通信部１０７は、当該画像処理装置１００を、ネットワーク１０８を介して他の画像処理装置１１０と接続する。なお、他の画像処理装置１１０は、画像処理装置１００と同様の構成を有する複合機であってもよいし、ＣＰＵやメモリ等で構成されるいわゆるパーソナルコンピュータ等であってもよい。なお、図１においては３の他の画像処理装置１１０を示しているが、他の画像処理装置１１０の数は、その他の数であってもよい。
【００２７】
読み取り部１０５は、後述する搬送部２０１により移動させられる媒体の表面を撮像センサでスキャンすることにより、媒体の画像を読み取る。具体的には、読み取り部１０５は、媒体の表面に現れる紋様（以下、紙指紋という）、例えば、媒体を形成する繊維の紋様や媒体の表面の微小なクラックや材料の微粒子等によって形成される紋様を読み取る。なお、媒体とは、例えば原稿用紙やプラスティック基板が該当する。
【００２８】
次に、読み取り部１０５の構成について説明する。図２は、読み取り部の構成を説明するための図である。図２に示すように、読み取り部１０５は、搬送部２０１、コンタクトガラス２０２、第１乃至第３のミラー２０３乃至２０５、レンズ２０６、撮像センサ２０７を有する。
【００２９】
搬送部２０１は、引き込みローラ２０９、搬送ローラ２１０、排出ローラ２１１を有する。引き込みローラ２０９は、例えば、操作部１０３へのユーザーからの指示に従い、媒体２１２（例えば、原稿用紙）を１枚ずつ、搬送ローラ２１０に移動する。搬送ローラ２１０は、コンタクトガラス２０２上に、媒体２１２を移動する。
【００３０】
このとき、媒体２１２の表面が、読み取りライン２１４で、撮像センサ２０７により読み取られる。具体的には、媒体２１２からの反射光が第１乃至第３のミラー２０３乃至２０５、及びレンズ２０６を介して、撮像センサ２０７上に結像されることにより、撮像センサ２０７は、媒体２１２の表面の画像を取得する。
【００３１】
なお、当該反射光は、光源（図示せず）から媒体２１２に照射された照射光の媒体２１２表面における反射光であることはいうまでもない。また、撮像センサ２０７は、例えば、フォトダイオード等の受光セル（画素）が直線状に配列されて形成されるＣＣＤ(Charge Coupled Device)リニアセンサである。
【００３２】
なお、読み取り部１０５の構成は上記に限定されず、上記実施の形態で示した構成と実質的に同一の構成、同一の作用効果を奏する構成又は同一の目的を達成することができる構成で置き換えてもよい。例えば、２の撮像センサを有し、２の読み取りラインで媒体の表面を読み取る構成であってもよい。また、上記においては、媒体２１２の移動中に媒体の表面が読み取られる構成としたが、撮像センサ２０７が媒体の表面を走査することにより、媒体の表面が読み取られる構成としてもよい。
【００３３】
次に、読み取り部１０５の回路構成について説明する。図３は、読み取り部１０５の回路構成を説明するための図である。図３に示すように、読み取り部１０５は、ゲイン調整回路３０１、オフセット調整回路３０２、画像読み取り回路３０３、ＡＤ変換回路３０４を有する。
【００３４】
ゲイン調整回路３０１は、後述する画像読み取り回路３０３のゲインを調整（ゲイン調整）する。具体的には、ゲイン調整回路３０１は、第１または第２のゲイン調整値を用いて、画像読み取り回路３０３をゲイン調整する。なお、上記第１または第２のゲイン調整値は、例えば、操作部１０３を介してユーザーにより指定されてもよいし、ゲイン調整回路３０１に予め設定される構成であってもよい。
【００３５】
オフセット調整回路３０２は、後述する画像読み取り回路３０３のオフセットを調整（オフセット調整）する。具体的には、オフセット調整回路３０２は、第１または第２のオフセット調整値を用いて、画像読み取り回路３０３をオフセット調整する。なお、同様に、上記第１または第２のオフセット調整値は、例えば、操作部１０３を介してユーザーにより指定されてもよいし、オフセット調整回路３０２に予め設定される構成であってもよい。
【００３６】
画像読み取り回路３０３は、例えば、撮像センサ２０７及び増幅回路（図示なし）を含む。撮像センサ２０７は、媒体の表面からの反射光を電気信号（アナログ信号）に変換し、増幅回路は、当該変換された電気信号を当該増幅回路により増幅してＡＤ変換回路３０４に出力する。この際、当該増幅回路は、上記ゲイン調整回路３０１及びオフセット調整回路３０２によりゲイン及びオフセット調整される。なお、上記においては、増幅回路がゲイン調整及びオフセット調整される構成としたが、直接撮像センサ２０７がゲイン調整及びオフセット調整される構成としてもよい。
【００３７】
ＡＤ変換回路３０４は、当該画像読み取り回路３０３から出力される電気信号を量子化する。具体的には、例えば、当該電気信号を８ビット（０から２５５）の階調レベルで表される輝度信号に変換する。
【００３８】
ここで、第１のゲイン調整値及び第１のオフセット調整値は、通常のスキャナ操作やコピー操作、つまり、媒体の表面に表された画像または文字情報を取得する際（通常モード）に用いられる。一方、第２のゲイン調整値及び第２のオフセット調整値は、紙指紋情報を取得する際（紙指紋取得モード）に用いられる。
【００３９】
また、当該通常モードか紙指紋取得モードかに応じて、ゲイン調整回路３０１及びオフセット調整回路３０２は、上記ゲイン及びオフセット調整値を切り換える。なお、当該画像読み取り回路３０３は、例えば、Ｒ、Ｇ、Ｂの３の信号を読み取るよう構成されているが、上記紙指紋取得モードの際には、１の信号（例えば、Ｇ）を読み取るよう構成してもよい。
【００４０】
なお、読み取り部１０５の回路構成は、上記に限定されず、上記実施の形態で示した構成と実質的に同一の構成、同一の作用効果を奏する構成又は同一の目的を達成することができる構成で置き換えてもよい。なお、特許請求の範囲における画像信号取得手段は、例えば、当該読み取り部１０５に相当する。
【００４１】
次に、読み取り部１０５の動作について、図４及び図５を用いてより詳細に説明する。図４及び図５は、本実施の形態における読み取り部１０５の動作を説明するための図である。
【００４２】
図４において、縦軸が、撮像センサ２０７から出力される出力電気信号（例えば、媒体の表面の色の濃淡に応じた電圧信号）に相当し、横軸が、紙指紋情報の情報量に相当する。また、図４において、上方にいくほどグレースケールで表した場合の白に相当する。また、図４は、上記ゲイン調整やオフセット調整を行う前の出力電気信号の状態を示すものとする。
【００４３】
また、図５（Ａ）（Ｃ）（Ｅ）において、縦軸が、出力電気信号に相当し、横軸が、読み取り部１０５の主走査方向（媒体の搬送方向に直交する方向）の開始から終了までに相当する。また、図５（Ｂ）（Ｄ）（Ｆ）において、縦軸が、当該第１または第２のゲイン調整値及び第１または第２のオフセット調整値によりゲイン調整及びオフセット調整された後ＡＤ変換回路３０４により８ビット（０から２５５）に量子化された出力輝度信号に相当する。なお、図５（Ｂ）（Ｄ）（Ｆ）の横軸は図５（Ａ）（Ｃ）（Ｅ）と同じである。
【００４４】
図４に示すように、紙指紋情報は、一般的な原稿用紙の地色に相当する出力電気信号の出力値付近を中心として正規分布する。通常モードの場合には、当該原稿用紙の地色に相当する出力値より少し大きな数値をゲイン調整の目標値（第１のゲイン調整値に相当）として設定する一方、黒色については、完全な黒色に相当する出力０よりも少し大きな値をオフセット調整の目標値（第１のオフセット調整値に相当）として設定する。
【００４５】
ここで、紙指紋情報は、図４に示すように上記第１のゲイン調整値より上方にも存在する。よって、図５（Ａ）及び（Ｂ）に示すように、通常モードで原稿用紙を読み取った場合、紙指紋情報の一部の情報が量子化されない。
【００４６】
紙指紋取得モードにおいては、図５（Ｃ）及び（Ｄ）に示すように、ゲイン調整値を紙指紋情報が欠落しないような第１のゲイン調整値より大きな値を有する第２のゲイン調整値に設定する。この場合、紙指紋情報の全てが量子化される。
【００４７】
更に、紙指紋取得モードにおいては、図５（Ｅ）及び（Ｆ）に示すように、上記第２のゲイン調整値に加えて、第１のオフセット調整値よりも大きな値を有する第２のオフセット調整値を用いる。このとき、第１のゲイン調整値と前記第２のゲイン調整値の差の大きさは、前記第２のオフセット調整値と前記第１のオフセット調整値の差の大きさよりも小さい。具体的には、紙指紋情報の分布に最適化された範囲の出力電気信号（第２のオフセット調整値から第２のゲイン調整値までに範囲）が量子化される。具体的には、例えば、図５（Ｆ）に示すように、通常モードと比較して、紙指紋情報を輝度信号の輝度値の中間値（例えば、輝度値１２５）付近を中心とした大きな凹凸を持つ輝度信号に変換する。
【００４８】
上記のように本実施の形態における紙指紋取得モードでは、画像読み取り回路３０３からの出力電気信号を紙指紋情報の取得に最適化して量子化する。
【００４９】
図６は、制御部１０１の構成を機能的に説明するための図である。図６に示すように、制御部１０１は機能的に、画像情報取得部６０１、紙指紋情報取得部６０２、画像処理部６０３、出力部６０４、照合部６０５を有する。画像情報取得部６０１は、通常モードの際、ＡＤ変換回路３０４から画像情報を取得する。
【００５０】
紙指紋情報取得部６０２は、紙指紋取得モードの際、ＡＤ変換回路３０４から紙指紋情報を取得する。画像処理部６０３は、画像情報取得部６０１により取得された画像情報に対し種々の画像処理を行う。当該画像処理は、例えば、画像情報の拡大や縮小、色補正、ノイズの除去等である。なお、当該画像処理は、例えば、ユーザーにより指定されてもよいし、あらかじめ設定されてもよい。
【００５１】
出力部６０４は、上記画像情報または紙指紋情報を、ユーザーの操作指示に応じて、各部（例えば、記憶部１０２、プリンタ部１０６等）に出力する。例えば、ユーザーの指示がコピーである場合には、当該画像情報をプリンタ部１０６へ出力し、プリンタ部１０６は当該画像情報を印刷する。また、ユーザーの指示が紙指紋情報の登録である場合には、例えば、当該紙指紋情報を記憶部１０２やネットワーク１０８を介して、外部のデータベース等に記憶する。
【００５２】
照合部６０５は、例えば、ユーザーの指示が照合である場合、紙指紋情報取得部６０２で取得された紙指紋情報と対応する既に登録された紙指紋情報との照合を行い、当該結果につき、当該媒体の原本性についての情報を表示部１０４に表示する。具体的には、例えば、特許４１０３８２６号公報に記載されているように、登録された紙指紋情報と照合紙指紋情報の相関値が、予め設定された基準値以上であるか否かに基づき、媒体の原本性を確認する。なお、当該処理の詳細については、周知であるため、詳細な説明は省略する。
【００５３】
また、照合結果は、例えば、照合対象の媒体が原本であると照合された場合には、「原本である」、原本でないと判断された場合には「原本でない」等と、表示部１０４に表示される。なお、照合結果の表示についてはこれに限定されず、例えば○×等予め定められた記号で表示されてもよい。
【００５４】
なお、上記制御部１０１の構成は、上記に限定されず、上記実施の形態で示した構成と実質的に同一の構成、同一の作用効果を奏する構成又は同一の目的を達成することができる構成で置き換えてもよい。
【００５５】
図７は、紙指紋取得モードにおける処理のフローを示す図である。具体的には、当該紙指紋情報の取得処理は、例えば、紙指紋情報の登録や照合が指示された際に行われる。
【００５６】
まず、ユーザーの操作部１０３への指示により、紙指紋の登録または照合が指示されると、ゲイン調整回路３０１は、第２のゲイン調整値により、画像読み取り回路３０３をゲイン調整する（Ｓ１０１）。
【００５７】
オフセット調整回路３０２は、第２のオフセット調整値により、画像読み取り回路３０３をオフセット調整する（Ｓ１０２）。
【００５８】
第２のゲイン調整値及び第２のオフセット調整値によりゲイン調整及びオフセット調整された画像読み取り回路３０３は、媒体の表面の紙指紋情報を読み取り電気信号を出力する。そして、ＡＤ変換回路３０４は当該画像読み取り回路３０３から出力された電気信号を量子化（ＡＤ変換）し、紙指紋情報取得部６０２は、当該量子化された紙指紋情報を取得する（Ｓ１０３）。次に処理を終了する。
【００５９】
なお、上記のように、取得された紙指紋情報は、その後、例えば、ユーザーの指示が紙指紋情報の登録である場合は、記憶部１０２に記憶される。また、例えば、ユーザーの指示が照合である場合は、照合部６０５により、対応する既に登録された紙指紋情報との照合が行われ、当該媒体の原本性についての情報が表示部１０４に表示される。
【００６０】
本実施の形態における紙指紋取得モードにおける処理のフローは、上記フローに限定されず、上記実施の形態で示したフローと実質的に同一のフロー、同一の作用効果を奏するフロー又は同一の目的を達成することができるフローで置き換えてもよい。例えば、上記においてはゲイン調整の後、オフセット調整が行われる構成として説明したが、逆の順序や、ゲイン調整とオフセット調整が同時に行われる構成であってもよい。
【００６１】
図８は、画像情報（媒体の表面に表された画像または文字情報）の取得における処理のフロー（通常モードにおける処理のフロー）を示す図である。具体的には、当該画像情報の取得は、例えば、画像処理装置１００へ媒体のコピーやスキャンが指示された際に行われる。
【００６２】
まず、ユーザーの操作部１０３への指示により、媒体のコピーやスキャンが指示されると、ゲイン調整回路３０１は、第１のゲイン調整値を用いて、画像読み取り回路３０３をゲイン調整する（Ｓ２０１）。オフセット調整回路３０２は、第１のオフセット調整値を用いて、画像読み取り回路３０３の読み取り回路をオフセット調整する（Ｓ２０２）。
【００６３】
第１のゲイン調整値及び第１のオフセット調整値によりゲイン調整及びオフセット調整された画像読み取り回路３０３は、媒体の表面に表された画像及び／または文字情報等を読み取り電気信号を出力する。そして、ＡＤ変換回路３０４は当該画像読み取り回路３０３から出力された電気信号を量子化（ＡＤ変換）し、画像情報取得部６０１は、当該量子化された画像情報を取得する（Ｓ２０３）。次に処理を終了する。
【００６４】
なお、上記のように取得された画像情報は、その後、ユーザーの指示がコピーである場合は、例えば、画像処理部６０３による種々の画像処理を経た後、プリンタ部１０６で媒体に印刷され、ユーザーの指示がスキャンである場合には、画像処理部６０３による種々の画像処理を経た後、記憶部１０２に記憶される等、ユーザーの指示に従い、種々の処理が行われる。
【００６５】
なお、本実施の形態における画像情報の取得における処理のフローは、上記フローに限定されず、上記実施の形態で示したフローと実質的に同一のフロー、同一の作用効果を奏するフロー又は同一の目的を達成することができるフローで置き換えてもよい。紙指紋情報取得フローと同様、例えば、上記においてはゲイン調整の後、オフセット調整が行われる構成として説明したが、逆の順序や、ゲイン調整とオフセット調整が同時に行われる構成であってもよい。
【００６６】
本発明は、上記実施の形態に限定されるものではなく、種々の変形が可能である。例えば、上記実施の形態で示した構成と実質的に同一の構成、同一の作用効果を奏する構成又は同一の目的を達成することができる構成で置き換えてもよい。
【００６７】
［変形例１］
次に、本発明の変形例１について説明する。本変形例では、主に、媒体の地色（例えば原稿用紙の種類により異なる）を検出し、当該地色に基づいて上記第２のゲイン調整値及び第２のオフセット調整値を設定する点が、上記実施の形態と異なる。具体的には、上記実施の形態においては、第２のゲイン調整値及び第２のオフセット調整値はあらかじめ設定されているか、ユーザーにより設定される構成であるが、本変形例においては、媒体の地色に基づいて、第２のゲイン調整値及び第２のオフセット調整値を設定する点が、主に異なる。その他の点は、上記実施の形態と同様であり、同様である点については説明を省略する。
【００６８】
図９は、本変形例における読み取り部の回路構成を説明するための図である。図９に示すように、上記実施の形態に加えて、本変形例における読み取り部１０５は、更に、ピークホールド回路３０５を有する。
【００６９】
当該ピークホールド回路３０５は、後述する媒体の地色に相当する部分、例えば媒体の先端部の一部（サンプリング領域）を読み取った際の画像読み取り回路３０３からの白信号及び黒信号のピーク値を検出する。なお、ここで、例えば、画像読み取り回路３０３から出力される電気信号のうち、高い電圧値を有するほど白信号、低い電圧値を有するほど、黒信号に相当するものとする。よって、画像読み取り回路３０３の出力電圧のうち、当該白信号のピーク値とは、最も高い電圧値に相当し、当該黒信号のピーク値とは、最も低い電圧値に相当する。また、媒体の地色とは、例えば、媒体の表面のうち画像や文字が表されていない領域の色、つまり、媒体の下地の色に相当する。また、上記において、媒体の先端部の一部とは、例えば読み取り部１０５で最初に読み取られる領域の一部または全部に相当する。具体的には、例えば、図１１に示す媒体２１２の先端部の隅の部分１１１がサンプリング領域に相当する。
【００７０】
ゲイン調整回路３０１及びオフセット調整回路３０２は、それぞれ当該検出された白及び黒信号のピーク値に基づいて、上記第２のゲイン調整値及び第２のオフセット調整値を設定する。具体的には、例えば、第２のゲイン調整値は、検出された白信号のピーク値から予め定められた電圧だけ高い値、第２のオフセット調整値は、検出された黒信号のピーク値から予め定められた電圧だけ低い値等と設定する。
【００７１】
次に、本変形例における紙指紋取得モードにおける処理のフローについて説明する。図１０は、紙指紋取得についてのフローを説明するための図である。
【００７２】
読み取り部１０５が、原稿の読み取りを開始する（Ｓ３０１）。ピークホールド回路３０５は、原稿の先端部の一部（サンプリング領域という）の読み取り中に、当該サンプリング領域の黒ピーク値及び白ピーク値を検出する（Ｓ３０２）。
【００７３】
ゲイン調整回路３０１は、当該検出された白ピーク値に基づいて算出された第２のゲイン調整値に基づいて、画像読み取り回路３０３をゲイン調整する（Ｓ３０３）。オフセット調整回路３０２は、当該検出された黒ピーク値に基づいて算出された第２のオフセット調整値に基づいて、画像読み取り回路３０３をオフセット調整する（Ｓ３０４）。
【００７４】
第２のゲイン調整値及び第２のオフセット調整値によりゲイン調整及びオフセット調整された画像読み取り回路３０３は、媒体の表面の紙指紋情報を読み取り電気信号を出力する。そして、ＡＤ変換回路３０４は当該画像読み取り回路３０３から出力された電気信号を量子化（ＡＤ変換）し、紙指紋情報取得部６０２は、当該量子化された紙指紋情報を取得する（Ｓ３０５）。なお、この場合、例えば、当該画像の読み取り（通常モードに相当）を、サンプリング領域の読み取り後に行ってもよい。
【００７５】
なお、本変形例における紙指紋情報の取得における処理のフローは、上記フローに限定されず、上記変形例で示したフローと実質的に同一のフロー、同一の作用効果を奏するフロー又は同一の目的を達成することができるフローで置き換えてもよい。
【００７６】
例えば、上記においてはゲイン調整の後、オフセット調整が行われる構成として説明したが、逆の順序や、ゲイン調整とオフセット調整が同時に行われる構成であってもよい。また、サンプリング領域は、上記のように媒体の最初に読み込まれる部分の他、媒体の最後に読み込まれる部分や媒体の端部等その他の領域であってもよい。また、上記においては紙指紋情報の取得における処理のフローについて説明したが、同様に、通常モードの際にも、ゲイン調整回路３０１は、白ピーク値に基づいて算出された第１のゲイン調整値に基づいて、画像読み取り回路３０３をゲイン調整し、オフセット調整回路３０２は、当該検出された黒ピーク値に基づいて算出された第１のオフセット調整値に基づいて、画像読み取り回路３０３をオフセット調整するよう構成してもよい。なお、上記白及び黒信号のピーク値が、例えば、特許請求の範囲に記載の統計値に相当する。
【００７７】
［変形例２］
次に、本発明の変形例２について説明する。本変形例では、画像の全体をプリスキャン（本来の画像読み取りの前に、予め本来の画像読み取りよりも速い速度で行うスキャン）することにより媒体の地色を検出する点が上記変形例１と異なる。その他の点は、上記変形例１と同様であり、同様である点については説明を省略する。
【００７８】
本変形例における紙指紋取得モードにおける処理のフローについて説明する。図１２は、本変形例における紙指紋取得モードにおける処理のフローを説明するための図である。
【００７９】
画像読み取り部１０５が原稿全体のプリスキャンを行う（Ｓ４０１）。このとき、例えば、ゲイン調整回路３０１及びオフセット調整回路３０２はそれぞれ、第１のゲイン調整値及び第１のオフセット調整値を用いて画像読み取り回路３０３をゲイン調整及びオフセット調整してもよいし、プリスキャン用に設定されたその他のゲイン調整値及びオフセット調整値を用いて調整してもよい。
【００８０】
制御部１０１は、当該プリスキャンにより取得された輝度信号の黒色及び白色に相当する輝度信号の統計値（例えば、平均値）を算出し、当該統計値に基づいて第２のゲイン調整値及び第２のオフセット調整値を算出し、そして、ゲイン調整回路３０１、オフセット調整回路３０２に設定する（Ｓ４０２）。具体的には、例えば、第２のゲイン調整値は、上記のように算出された白に相当する輝度信号の平均値から予め定められた電圧だけ高い値、第２のオフセット調整値は、上記のように算出された黒に相当する輝度信号の平均値から予め定められた電圧だけ高い値等と設定してもよい。なお、上記において、輝度信号の値が大きいほどより白く、輝度信号の値が小さいほどより黒い色に相当するものとする。また、黒色及び白色に相当する輝度信号とは、例えばそれぞれ予め定められた黒色及び白色に相当するとして設定された輝度値から予め定められた範囲の輝度値を有する輝度信号に相当する。
【００８１】
ゲイン調整回路３０１は、当該第２のゲイン調整値を用いて、ゲイン調整回路３０１は、画像読み取り回路３０３をゲイン調整する（Ｓ４０３）。オフセット調整回路３０２は、当該第２のオフセット調整値を用いて、オフセット調整回路３０２は、画像読み取り回路３０３をオフセット調整する（Ｓ４０４）。
【００８２】
第２のゲイン調整値及び第２のオフセット調整値によりゲイン調整及びオフセット調整された画像読み取り回路３０３は、媒体の表面の紙指紋情報を読み取り電気信号を出力する。そして、ＡＤ変換回路３０４は当該画像読み取り回路３０３から出力された電気信号を量子化（ＡＤ変換）し、紙指紋情報取得部６０２は、当該量子化された紙指紋情報を取得する（Ｓ４０５）。次に、処理を終了する。
【００８３】
なお、本変形例における紙指紋情報の取得における処理のフローは、上記フローに限定されず、上記変形例で示したフローと実質的に同一のフロー、同一の作用効果を奏するフロー又は同一の目的を達成することができるフローで置き換えてもよい。例えば、上記においてはゲイン調整の後、オフセット調整が行われる構成として説明したが、逆の順序や、ゲイン調整とオフセット調整が同時に行われる構成であってもよい。また、上記においては紙指紋情報の取得における処理のフローについて説明したが、同様に、通常モードの際にも、ゲイン調整回路３０１は、上記統計値に基づいて算出された第１のゲイン調整値に基づいて、画像読み取り回路３０３をゲイン調整し、オフセット調整回路３０２は、上記統計値に基づいて算出された算出された第１のオフセット調整値に基づいて、オフセット調整回路３０２は、画像読み取り回路３０３をオフセット調整するよう構成してもよい。
【００８４】
本発明は、上記実施の形態または変形例１または２に限定されるものではなく、種々の変形が可能である。例えば、上記実施の形態または変形例１または２で示した構成と実質的に同一の構成、同一の作用効果を奏する構成又は同一の目的を達成することができる構成で置き換えてもよい。
【符号の説明】
【００８５】
１００  画像処理装置、１０１  制御部、１０２  記憶部、１０３  操作部、１０４  表示部、１０５  読み取り部、１０６  プリンタ部、１０７  通信部、２０１  搬送部、２０２  コンタクトガラス、２０３乃至２０５  第１乃至第３のミラー、２０６  レンズ、２０７  撮像センサ、３０１  ゲイン調整回路、３０２  オフセット調整回路、３０３  画像読み取り回路、３０４  ＡＤ変換回路、３０５  ピークホールド回路、６０１  画像情報取得部、６０２  紙指紋情報取得部、６０３  画像処理部、６０４  出力部、６０５  照合部。
【図１】
2012064162.tif 000003
【図２】
2012064162.tif 000004
【図３】
2012064162.tif 000005
【図４】
2012064162.tif 000006
【図５】
2012064162.tif 000007
【図６】
2012064162.tif 000008
【図７】
2012064162.tif 000009
【図８】
2012064162.tif 000010
【図９】
2012064162.tif 000011
【図１０】
2012064162.tif 000012
【図１１】
2012064162.tif 000013
【図１２】
2012064162.tif 000014